(57)【要約】【課題】織物が本来持つ表面の模様を活かしつつ、置物や内装材などとして立体的な形状で利用でき、躍動感等の新たな印象を与えることができる織物を提供すること。【解決手段】本発明では、縦糸と横糸とを織成した織物において、屈曲可能かつ形状保持可能な芯体を縦糸方向に設けることにした。また、前記芯体を横糸の左右両端部に設けるとともに、縁カバーで芯体を被覆することにした。また、前記芯体を縁カバーの折り返し部の内側に配置することにした。また、前記芯体を縦糸の一部に用いることにした。さらに、前記芯体と縦糸とで縦糸構成体を形成するとともに、縦糸構成体を形成する芯体と縦糸との間で横糸を交差させることにした。【選択図】図１
2010121225.tif 000002
【特許請求の範囲】
【請求項１】
縦糸と横糸とを織成した織物において、
屈曲可能かつ形状保持可能な芯体を縦糸方向に設けたことを特徴とする織物。
【請求項２】
前記芯体を横糸の左右両端部に設けるとともに、縁カバーで芯体を被覆したことを特徴とする請求項１に記載の織物。
【請求項３】
前記芯体を縁カバーの折り返し部の内側に配置したことを特徴とする請求項２に記載の織物。
【請求項４】
前記芯体を縦糸の一部に用いたことを特徴とする請求項１〜請求項３のいずれかに記載の織物。
【請求項５】
前記芯体と縦糸とで縦糸構成体を形成するとともに、縦糸構成体を形成する芯体と縦糸との間で横糸を交差させたことを特徴とする請求項４に記載の織物。
【発明の詳細な説明】
【技術分野】
【０００１】
本発明は、茣蓙等に代表される縦糸と横糸とを織成した織物に関するものである。
【背景技術】
【０００２】
従来より、茣蓙等に代表される縦糸と横糸とを織成した織物は、敷物や座布団カバーなどとして広く愛用されている。
【０００３】
従来の織物は、撚糸などからなる複数の横糸の間にイ草などからなる複数の縦糸を横糸で交互に交差させて織り込んで平面的な形状に織成していた（たとえば、特許文献１参照。）。
【０００４】
そして、従来の織物は、平面的な形状に織成され、平面的な形状のまま敷物や座布団カバーなどとして利用されていた。
【０００５】
【特許文献１】特開平１１−１５８７４９号公報
【発明の開示】
【発明が解決しようとする課題】
【０００６】
上記従来の織物では、平面的な形状に織成されて平面的な形状のまま利用されており、表面に現出される模様などに趣を有するにもかかわらず、立体的な形状とすることができず、単調な印象を与えるものとなっていた。
【０００７】
そのため、織物が本来持つ表面の模様を活かしつつ、置物や内装材などとして立体的な形状で利用でき、躍動感等の新たな印象を与えることができる織物を開発することが課題となっていた。
【課題を解決するための手段】
【０００８】
そこで、請求項１に係る本発明では、縦糸と横糸とを織成した織物において、屈曲可能かつ形状保持可能な芯体を縦糸方向に設けることにした。
【０００９】
また、請求項２に係る本発明では、前記請求項１に係る本発明において、前記芯体を横糸の左右両端部に設けるとともに、縁カバーで芯体を被覆することにした。
【００１０】
また、請求項３に係る本発明では、前記請求項２に係る本発明において、前記芯体を縁カバーの折り返し部の内側に配置することにした。
【００１１】
また、請求項４に係る本発明では、前記請求項１〜請求項３のいずれかに係る本発明おいて、前記芯体を縦糸の一部に用いることにした。
【００１２】
また、請求項５に係る本発明では、前記請求項４に係る本発明において、前記芯体と縦糸とで縦糸構成体を形成するとともに、縦糸構成体を形成する芯体と縦糸との間で横糸を交差させることにした。
【発明の効果】
【００１３】
そして、本発明では、以下に記載する効果を奏する。
【００１４】
すなわち、本発明では、縦糸と横糸とを織成した織物において、屈曲可能かつ形状保持可能な芯体を縦糸方向に設けることにしているために、芯体を屈曲させることで立体的な形状を保持することができ、これにより、織物が本来持つ表面の模様を活かしつつ、置物や内装材などとして立体的な形状で利用でき、躍動感等の新たな印象を与えることができる織物とすることができる。
【００１５】
また、本発明では、芯体を横糸の左右両端部に設けるとともに、縁カバーで芯体を被覆することにしているために、縁カバーで被覆して外部から目視されない芯体で左右両端部を良好に屈曲させた状態で形状を保持させることができる。
【００１６】
また、本発明では、芯体を縁カバーの折り返し部の内側に配置することにしているために、縁カバーを芯体に沿ってまっすぐに折り返すことができて外観上の美観を向上させることができるとともに、縁カバーを容易に折り返すことができて織物の製造を容易なものとすることができる。
【００１７】
また、本発明では、芯体を縦糸の一部に用いることにしているために、織物全体を良好に屈曲させた状態で形状を保持させることができる。
【００１８】
また、本発明では、芯体と縦糸とで縦糸構成体を形成するとともに、縦糸構成体を形成する芯体と縦糸との間で横糸を交差させることにしているために、芯体と横糸とを密着させることができ、織物全体をより一層良好に屈曲させた状態で形状を保持させることができる。
【発明を実施するための最良の形態】
【００１９】
以下に、本発明に係る織物の具体的な構成について図面を参照しながら説明する。
【００２０】
図１に示すように、織物１は、矩形板状の織成体２の縁部に縁カバー3,3を取付け、織成体２と縁カバー3,3とを途中で折曲させたり湾曲させたりした状態で形状を保持することができるようになっており、平面形状として敷物などに利用できるだけでなく、立体形状として置物や内装材などにも利用できるようになっている。
【００２１】
この織物１は、図２に示すように、撚糸などの縦糸４とイ草などの横糸５とを公知の織成方法を用いて織成して織成体２を形成するとともに、銅線などからなる屈曲可能かつ形状保持可能な剛体状の芯体６を横糸５の左右両端部に縦糸４と平行（縦糸方向：横糸５と直交する方向）に設け、さらに、横糸５の左右両端部において芯体６に沿って帯状の縁カバー３を折り返すことによって縁カバー３の折り返し部の内側に芯体６を配置させるとともに、縁カバー３で織成体２を挟持した状態で縁カバー３の端部同士を表裏で縫合している。
【００２２】
これにより、織物１は、縦糸方向に設けられた芯体６を自由に折曲や湾曲させると、芯体６の形状に沿って織成体２が変形し、その変形後の形状を保持するようになっている。
【００２３】
このように、織物１は、縦糸４と横糸５とで織成され、屈曲可能かつ形状保持可能な芯体６を縦糸方向に設けているために、芯体６を屈曲させることで立体的な形状を保持することができ、織物１が本来持つ表面の模様を活かしつつ、置物や内装材などとして立体的な形状で利用でき、躍動感等の新たな印象を与えることができる織物１とすることができる。
【００２４】
特に、上記織物１では、芯体６を横糸５の左右両端部に設けるとともに、縁カバー３で芯体６を被覆した構成となっている。
【００２５】
そのため、上記構成の織物１では、縁カバー３で被覆して外部から目視されない芯体６で左右両端部を良好に屈曲させた状態で形状を保持させることができる。
【００２６】
また、上記織物１では、芯体６を縁カバー３の折り返し部の内側に配置した構成となっている。
【００２７】
そのため、上記構成の織物１では、縁カバー３を芯体６に沿ってまっすぐに折り返すことができて外観上の美観を向上させることができるとともに、縁カバー３を容易に折り返すことができて織物１の製造を容易なものとすることができる。
【００２８】
上記織物１では、織成体２を構成する縦糸４とは別個に設けた芯体６を横糸５の左右両端部に配置した構成としているが、これに限られず、縁カバー３自体を芯体６としてもよく、さらには、織成体２を構成する縦糸４の一部又は全部を芯体６とした構成としてもよい。
【００２９】
たとえば、図３に示す織物11では、１本の芯体16と１本の縦糸14とで縦糸構成体17を形成するとともに、縦糸構成体17を形成する芯体16と縦糸14との間で隣接する横糸15を交互に交差させることによって織成体12を織成し、織成体12の左右端部にも芯体16を配置し、織成体12の左右端部に縁カバー13を取付けている。
【００３０】
また、図４に示す織物21では、１本の芯体26と２本の縦糸24,24とで縦糸構成体27を形成するとともに、縦糸構成体27を形成する芯体26とその左右の縦糸24,24との間で隣接する横糸25を交互に交差させることによって織成体22を織成し、織成体22の左右端部にも芯体26を配置し、織成体22の左右端部に縁カバー23を取付けている。
【００３１】
このように、上記織物11(21)では、芯体16(26)を縦糸14(24)の一部に用いているために、織物全体を良好に屈曲させた状態で形状を保持させることができる。
【００３２】
特に、上記織物11(21)では、芯体16(26)と縦糸14(24)とで縦糸構成体17(27)を形成するとともに、縦糸構成体17(27)を形成する芯体16(26)と縦糸14(24)との間で横糸15(25)を交差させた構成となっている。
【００３３】
そのため、上記構成の織物11(21)では、芯体16(26)と横糸15(25)とを密着させることができ、織物全体をより一層良好に屈曲させた状態で形状を保持させることができる。
【図面の簡単な説明】
【００３４】
【図１】本発明に係る織物を示す斜視図。
【図２】同断面図。
【図３】同断面図。
【図４】同断面図。
【符号の説明】
【００３５】
1,11,21  織物
2,12,22  織成体
3,13,23  縁カバー
4,14,24  縦糸
5,15,25  横糸
6,16,26  芯体
17,27  縦糸構成体
【図１】
2010121225.tif 000003
【図２】
2010121225.tif 000004
【図３】
2010121225.tif 000005
【図４】
2010121225.tif 000006